(57)【要約】【課題】  サーバを使用せずに、日によって取扱いが変わる物の管理方法と情報管理システムを提供する。【解決手段】  ユーザが識別情報と持ち物が必要なカレンダーとからなる管理情報を登録・抹消し、必要なときに前記管理情報を読み出し照合するためのユーザインタフェースと、管理情報を展開するカレンダーと、識別情報を保存するＩＤ管理データベースと、管理情報を保存する持ち物管理データベースと、ＩＤ管理データベースと持ち物管理データベースに管理情報を読み書きするとともに読み取り装置から伝送された識別情報を管理情報と照合し結果をユーザインタフェースに出力する情報管理部とを備えた。【選択図】図１
2007041994.tif 000002
【特許請求の範囲】
【請求項１】
持ち物に装着し識別情報を書き込んだＲＦＩＤと、前記識別情報を管理する管理装置と、前記ＲＦＩＤから前記識別情報を読み取り前記管理装置に伝送する読み取り装置とを有する持ち物管理システムにおいて、        
前記管理装置は、
ユーザが前記識別情報と前記持ち物が必要なカレンダーとからなる管理情報を登録・抹消し、必要なときに前記管理情報を読み出し照合するためのユーザインタフェースと、
前記管理情報を展開するカレンダーと、
前記識別情報を保存するＩＤ管理データベースと、
前記管理情報を保存する持ち物管理データベースと、
前記ＩＤ管理データベースと前記持ち物管理データベースに管理情報を読み書きするとともに前記読み取り装置から伝送された識別情報を前記管理情報と照合し結果をユーザインタフェースに出力する情報管理部と、
を備えることを特徴とする持ち物管理システム。
【請求項２】
前記管理装置はパーソナルコンピュータであることを特徴とする請求項１記載の持ち物管理システム。
【請求項３】
持ち物に装着し識別情報を書き込んだＲＦＩＤと、前記識別情報を管理する管理装置と、前記ＲＦＩＤから前記識別情報を読み取り前記管理装置に伝送する読み取り装置とを有する持ち物管理方法において、
前記持ち物を登録する場合は
前記ＲＦＩＤに持ち物の識別情報を書き込むステップと、
前記持ち物へ前記ＲＦＩＤを装着するステップと、
ユーザインタフェースから前記識別情報を登録依頼するステップと、
情報管理部が前記ＲＦＩＤの識別情報を読み取り指示するステップと、
前記読み取り装置が前記識別情報を読み取り、情報管理部へ伝送するステップと、
前記情報管理部が識別情報をＩＤ管理データベースへ保存するステップと、
前記ユーザインタフェースから前記持ち物が必要なカレンダーを管理情報として登録するステップと、
前記情報管理部が前記管理情報を持ち物管理データベースへ保存するステップと、
を備え、
前記持ち物を照会する場合は、
前記ユーザインタフェースから前記持ち物のチェックを指示するステップと、
前記情報管理部が前記読み取り装置へ前記ＲＦＩＤの読み取りを指示するステップと、
前記読み取り装置が前記ＲＦＩＤの識別情報を読み取り、前記情報管理部へ伝送するステップと、
前記情報管理部はカレンダーから持ち物情報を取り出し、前記ＲＦＩＤの識別情報と照合し、ユーザインタフェースへ通知するステップと、
を備えたことを特徴とする持ち物管理方法。
【請求項４】
前記持ち物のチェックは本日の持ち物のチェックであることを特徴とした請求項３記載の持ち物管理方法。
【発明の詳細な説明】
【技術分野】
【０００１】
本発明は、物に装着して物を識別するための識別情報を使った持ち物管理システムと管理方法に関する。  
【背景技術】
【０００２】
従来のＲＦＩＤ（Ｒａｄｉｏ  Ｆｒｅｑｕｅｎｃｙ  Ｉｄｅｎｔｉｆｉｃａｔｉｏｎ）を使った物の管理では、物につけた識別情報により物を識別し、在庫管理が行うものがある。
図２は、特許文献１で開示されている例で商品管理システムの構成を示すものである。
複数の区画に保管もしくは陳列された商品と、商品に装着され商品に固有の識別コードを有するＲＦＩＤタグと、ＲＦＩＤタグに識別コードを書き込む登録機と、ＲＦＩＤタグ１０２からの信号を受信して読み取る読み取りユニット１０４と、該読み取りユニット１０４と送受信可能に接続された情報管理手段１０５とから構成される。商品１０１は、電化製品、文房具、服飾品、食品、自動車用品等の商取引される物品であってその種類は特に限定されず、商品の種類毎に分けて入出荷用の倉庫に保管され、もしくは販売の為に店舗に陳列される。読み取りユニット１０４は、ＲＦＩＤタグ１０２の信号を受信するアンテナ１４１と、アンテナ１４１と接続されアンテナで受信された信号を読み取る読み取り機１４２とからなる。読み取り機１４２は、ＲＦＩＤタグ１０２に対して電波を発信してＲＦＩＤタグ１０２に応答用エネルギーを与えるとともに、送信状態から受信状態に切り替わって、ＲＦＩＤタグ１０２からの信号をアンテナ１４１を介して受信する。また、読み取り機１４２には入出力インターフェイスが備えられており、読み取り機１４２はこの入出力インターフェイスを介して情報管理手段１０５と接続されている。読み取りユニット１０４は、商品１０１が保管もしくは陳列された区画毎に設置され、各区画毎に個別のアドレスが設定されている。例えば、５種類の商品１０１が各種類毎に５個の陳列棚に分かれて陳列されている場合、１つの陳列棚を１つの区画として、各陳列棚にそれぞれ読み取りユニット１０４を設置する。そして、各読み取りユニット１０４に対して、例えばＡ，Ｂ，Ｃ，Ｄ，Ｅという個別のアドレスを設定する。区画の設定は任意であり、例えば一つの部屋を複数のエリアに分割して各エリアをそれぞれ１つの区画としてもよいし、一つの棚の各段をそれぞれ１つの区画としてもよいが、例えば同種類の商品が収容されている場所毎に区画を形成すると商品管理上好ましい。情報管理手段１０５は、ＣＰＵ１５１と、ＲＡＭやＲＯＭ等のメモリからなり各種プログラムが記憶された記憶部１５２と、入出力インターフェイス１５３と、ディスプレイ等の表示部１５４と、プリンタ等の印刷装置１５５と、内部時計１５６とを備えている。情報管理手段１０５は、読み取り機１４２から送信される識別コードの情報信号を入出力インターフェイス１５３を介して受信し、記憶部１５２に記憶する。情報管理手段１０５の記憶部１５２には、商品の種類や値段等の商品情報と各読み取りユニットに付されたアドレスに対応した区画名を示す区画情報が予め記憶されており、この商品情報及び区画情報と読み取り機１４２から送られた識別コード及びアドレスとがＣＰＵ１５１により結合され、どの区画に設置された読み取りユニット１０４がどの商品を検知したかという情報として表示部１５４に表示されるとともに、記憶部１５２に記憶されるというものである。
図３は特許文献２に開示された従来例で、様々なソリューションシステムに適用可能な、物の取扱いを支援する技術を提供するものであり、物の各々に識別情報を付与すると共に、識別情報が付与された物の属性情報を、予め登録・管理するようにし、物に付与された識別情報を用いて物を認識し、その物の属性情報に応じた取扱いに関するメッセージを特定して、ユーザに伝えるようにしたもので、薬物の摂取管理システムの例である。図３において、薬等の摂取物２０１の収容器（包装紙等を含む）や付属品（説明書等を含む）に、この摂取物に付与されているユニークな識別情報であるＩＤが格納されたＲＦＩＤ用の電子回路チップ２０２が装着されている。ＩＤリーダ２０３は、操作者が携帯可能なＲＦＩＤ用読取装置であり、電波を発生させることで、受信可能な無線エリアに存在する電子回路チップ２０２からＩＤコードを読み取り、これをユーザ端末２０４に送信する。ユーザ端末２０４は、ＩＤリーダ２０３よりＩＤコードおよびリーダＩＤを受け取ると、各種サーバ２０５〜２０７と情報のやり取りを行なう。これにより、ユーザがこのＩＤコードが付与されている摂取物２０１を摂取しようとしている場合に、その摂取行為に関連するメッセージを入手して、ＩＤリーダ２０３に送信する。属性情報管理サーバ２０６は、摂取物の製造者毎に設けられ、対応する製造者が製造した摂取物各々の属性情報を管理する。ＩＤ管理サーバ２０５は、ＩＤコードを管理する属性情報管理サーバ２０６の宛先（宛先アドレス）を管理する。摂取管理支援サーバ２０７は、ユーザ毎に摂取行為の履歴を管理し、ユーザが新たに摂取しようとする行為に対して、当該ユーザのユーザ端末にメッセージを通知する。
図４は特許文献３に開示された従来技術で、携行品管理システムの例であり、学校３０１に出かけるときに、携行者が必要な持ち物が全て準備できているか否かを確認するために用いられるシステムである。学校側３０１にサーバ３１０が設置され、このサーバ３１０には、電子化された時間割表３０２と対象とする携行者（生徒）の持ち物リスト３０３が格納されている。サーバ３１０では、この格納された時間割表３０２と持ち物リスト３０３の情報に基づいて携行者（生徒）毎の携行品リスト３０４を作成する。携行者の家庭４００内においては、ホームサーバー４０１が設置され、無線ＬＡＮ機器４０２並びにテレビなどの表示端末４０７が接続されている。サーバ３１０で作成された携行品リスト３０４が学校３０１ から各家庭４００にインターネット経由で送信される。家庭内４００のホームサーバ４０１では、この携行品リスト３０４を受信することで、携行者が学校３０１ へ行く前に、携行品リスト３０４の情報に基づいて、学校へ持っていく必要のある持ち物の確認を行うことができるというものである。
【特許文献１】特開２００１−３１２１８号公報（第２−５頁、図１）
【特許文献２】特開２００３−１６５６２６号公報（第５−１６頁、図１）
【特許文献３】特開２００５−７８３３１号公報（図１）
【発明の開示】
【発明が解決しようとする課題】
【０００３】
しかしながら、従来のＲＦＩＤを使った物の管理では、サーバを使用した大掛かりなものであり、属性情報を日にちや曜日によって変更出来ず、日によって取扱いが変わる物を管理出来ないという問題があった。
本発明はこのような問題点に鑑みてなされたものであり、サーバを使用せずに、日によって取扱いが変わる物の管理方法と情報管理システムを提供することを目的とする。
【課題を解決するための手段】
【０００４】
上記問題を解決するため、本発明は、次のように構成したのである。
請求項１に記載の発明は、持ち物に装着し識別情報を書き込んだＲＦＩＤと、前記識別情報を管理する管理装置と、前記ＲＦＩＤから前記識別情報を読み取り前記管理装置に伝送する読み取り装置とを有する持ち物管理システムにおいて、前記管理装置は、ユーザが前記識別情報と前記持ち物が必要なカレンダーとからなる管理情報を登録・抹消し、必要なときに前記管理情報を読み出し照合するためのユーザインタフェースと、前記管理情報を展開するカレンダーと、前記識別情報を保存するＩＤ管理データベースと、前記管理情報を保存する持ち物管理データベースと、前記ＩＤ管理データベースと前記持ち物管理データベースに管理情報を読み書きするとともに前記読み取り装置から伝送された識別情報を前記管理情報と照合し結果をユーザインタフェースに出力する情報管理部と、を備えることを特徴とするものである。
請求項２に記載の発明は、請求項１記載の持ち物管理システムにおいて、前記管理装置はパーソナルコンピュータであることを特徴とするものである。
請求項３に記載の発明は、持ち物に装着し識別情報を書き込んだＲＦＩＤと、前記識別情報を管理する管理装置と、前記ＲＦＩＤから前記識別情報を読み取り前記管理装置に伝送する読み取り装置とを有する持ち物管理方法において、前記持ち物を登録する場合は前記ＲＦＩＤに持ち物の識別情報を書き込むステップと、前記持ち物へ前記ＲＦＩＤを装着するステップと、ユーザインタフェースから前記識別情報を登録依頼するステップと、情報管理部が前記ＲＦＩＤの識別情報を読み取り指示するステップと、前記読み取り装置が前記識別情報を読み取り、情報管理部へ伝送するステップと、前記情報管理部が識別情報をＩＤ管理データベースへ保存するステップと、前記ユーザインタフェースから前記持ち物が必要なカレンダーを管理情報として登録するステップと、前記情報管理部が前記管理情報を持ち物管理データベースへ保存するステップと、を備え、前記持ち物を照会する場合は、前記ユーザインタフェースから前記持ち物のチェックを指示するステップと、前記情報管理部が前記読み取り装置へ前記ＲＦＩＤの読み取りを指示するステップと、前記読み取り装置が前記ＲＦＩＤの識別情報を読み取り、前記情報管理部へ伝送するステップと、前記情報管理部はカレンダーから持ち物情報を取り出し、前記ＲＦＩＤの識別情報と照合し、ユーザインタフェースへ通知するステップと、を備えたことを特徴とするものである。
請求項４に記載の発明は、前記持ち物のチェックは本日の持ち物のチェックであることを特徴としたものである。
【発明の効果】
【０００５】
本発明によると、サーバを使用せずに、日によって取扱いが変わる物の管理システムとと持ち物管理方法を提供することができる。
【発明を実施するための最良の形態】
【０００６】
以下、本発明の実施の形態について図を参照して説明する。
【実施例１】
【０００７】
図１は、本発明の持ち物の管理方法を使って通勤、通学などの外出時の忘れ物を防止するために、出かける前に忘れ物をチェックするシステムの構成図である。図１において、持ち物１にＲＦＩＤ２を装着する。ＲＦＩＤは物を区別する識別情報をあらかじめ書き込んでおく。読み取り装置３はＲＦＩＤ２から読み取った識別情報を管理装置４に通知する。管理装置４は、読み取った識別情報を管理し、日付、曜日などのカレンダーを使って持ち物の管理を行う情報管理部５と、ユーザが持ち物の登録、チェックなどを指示するための入力と現在の登録内容やチェック結果などをユーザに通知する出力とを行うユーザＩ／Ｆ６を有する。また、管理装置４は識別情報を管理するためのＩＤ管理ＤＢ９とカレンダーを使って持ち物の管理を行うための持ち物管理ＤＢ８とそれを支援するカレンダー７も持っている。本発明が特許文献１、２と異なる部分は、サーバを使用しないことと曜日や日付毎に持ち物の管理を行うというカレンダー機能を備えた部分である。
【０００８】
持ち物チェックを行うには、まず、ユーザが教科書、ノート、筆箱などの学用品、財布、定期券などの外出時に携帯する持ち物１にＲＦＩＤ２を装着する。ＲＦＩＤ２には、あらかじめ物を識別するための識別情報を書き込んでおく。ユーザは持ち物１の登録を管理装置４のユーザＩ／Ｆ６を使って指示し、ユーザＩ／Ｆ６は情報管理部５へ登録依頼を通知する。情報管理部５は読み取り装置３へＲＦＩＤ２の識別情報読み取りを指示する。読み取り装置３が読み取った識別情報は、情報管理部５へ送られる。情報管理部５は、持ち物１毎の識別情報をＩＤ管理ＤＢ９へ保存する。次に、登録した持ち物の管理情報を、ユーザがユーザＩ／Ｆ６を使って登録する。持ち物の管理情報登録とは、持ち物１を持って行く日を毎日、月曜日と水曜日だけといった曜日指定、日付指定で行うものである。登録した持ち物の管理情報は、情報管理部５が、持ち物管理ＤＢ８へ保存する。
【０００９】
外出時など、忘れ物がないかチェックをしたいとき、ユーザが鞄などに入れた持ち物のチェックを管理装置４のユーザＩ／Ｆ６を使って指示する。ユーザＩ／Ｆ６は情報管理部５へチェック依頼を通知し、情報管理部５は読み取り装置３へＲＦＩＤ２の識別情報読み取りを指示する。読み取り装置３が読み取った識別情報は、情報管理部５へ送られる。情報管理部５は、カレンダー７を使用して、現在日付、曜日を取得し、持ち物管理ＤＢ８から、本日の持ち物情報を取り出す。取り出した持ち物情報と、読み取り部４が読み取った識別情報を照合し、持って行く必要があるのに存在しない持ち物、持って行ってはいけないのに存在する持ち物があれば、ユーザＩ／Ｆ６を使ってユーザに通知する。
【００１０】
また、前日に学校の用意をするときなどは、ユーザが日付指定で持って行くものの表示を管理装置４のユーザＩ／Ｆ６を使って指示する。ユーザＩ／Ｆ６は情報管理部５へ日付と表示依頼を通知する。情報管理部５は持ち物管理ＤＢ８から指定された日付の持ち物情報を取り出す。取り出した持ち物情報はユーザＩ／Ｆ６を使ってユーザに通知する。
【００１１】
持ち物１の登録では、外出時に携帯する必要がある物だけでなく、携帯してはいけないものを登録することも出来る。外への持ち出しを禁止する持ち物は持ち物の管理情報に毎日持ち出し禁止とすればよいし、ゲーム機など、校則で持込みが禁じられているものは、平日の持ち出しを禁止とすればよい。
【００１２】
持ち物１の登録では、持ち物１を一つずつ登録してもよいが、時間割にあわせた学用品の用意などは、月曜日の持ち物登録、火曜日の持ち物登録といったように、曜日ごとの一括登録を行えるようにするとよい。
【００１３】
読取り装置３と管理装置４の形態は、特には限定しない。それぞれを別の装置にして、有線、もしくは、無線の通信によって、読み取った情報を伝達しても良いし、読取り装置３と管理装置４を1つの装置として実現しても良い。１つの装置とした場合、例えばＲＦＩＤの読み取り機能を持った携帯電話などが考えられる。また、ランドセルやバッグに付けられる形態をした専用の装置として、通勤、通学時の持ち物チェックを行えるようにしてもよい。
【００１４】
図５は持ち物の管理方法のフローを示したものである。ステップＳＴ１からステップＳＴ８は持ち物の識別情報や持ち物が必要になるカレンダーを登録するフローチャートであり、ステップＳＴ９からステップＳＴ１２は本日の持ち物が正しいかどうか照合するフローチャートである。ステップＳＴ１でＲＦＩＤに持ち物識別情報を書き込み、ステップＳＴ２でＲＦＩＤを持ち物へ装着し、ステップＳＴ３でユーザはユーザインタフェースから識別情報の登録依頼をかける。次にステップＳＴ４で情報管理部は読み取り装置へＲＦＩＤの識別情報を指示して読み取らせる。ステップＳＴ５で読取装置は識別情報を読み取り、情報管理部へ伝送し、ステップＳＴ６で情報管理部は、識別情報をＩＤ管理データベースへ保存する。次に、ステップＳＴ７でユーザはユーザインタフェースから持ち物が必要なカレンダーを管理情報として登録する。ステップＳＴ８で、管理情報部は管理情報を持ち物データベースへ保存する。ステップＳＴ９でユーザはユーザインタフェースから持ち物チェックを指示し、ステップＳＴ１０で情報管理部は読取装置へＲＦＩＤの読み取りを指示する。次にステップＳＴ１１で読み取り装置はＲＦＩＤの識別情報を読み取り、情報管理部へ伝送する。ステップＳＴ１２で、情報管理部はカレンダーから持ち物情報を取り出し、ＲＦＩＤから読み取った識別情報と照合し、照合結果をユーザインタフェースへ通知する。
【産業上の利用可能性】
【００１５】
曜日や日付によって持ち物を管理することができるので、持ち物を管理する用途に適用できる。
【図面の簡単な説明】
【００１６】
【図１】本発明の構成を示すシステム構成図
【図２】従来技術のシステム構成図
【図３】従来技術のシステム構成図
【図４】従来技術のシステム構成図
【図５】本発明の持ち物の管理方法を示したフローチャート
【符号の説明】
【００１７】
１  持ち物
２  ＲＦＩＤ
３  読み取り装置
４  管理装置
５  情報管理部
６  ユーザＩ／Ｆ
７  カレンダー
８  持ち物管理ＤＢ
９  ＩＤ管理ＤＢ
【図１】
2007041994.tif 000003
【図２】
2007041994.tif 000004
【図３】
2007041994.tif 000005
【図４】
2007041994.tif 000006
【図５】
2007041994.tif 000007